(57)【要約】【課題】本発明は、サブフリッカーバが破断してファーブラシにダメージを与えて清掃不良を引き起こしたり、感光体を傷付けたりする事が無い、信頼性が高く、保守コストが低い感光体清掃装置を提供することを課題とする。【解決手段】本発明は、ハウジング揺動軸心を中心にハウジングを揺動させることにより該ハウジング内面に前記ファーブラシを接触させ、前記ハウジングの揺動に伴い該ハウジングと前記ファーブラシとの接触位置を変位させ、前記ハウジング内面に付着堆積したトナーを除去する手段を有する電子写真装置の感光体清掃装置において、前記ファーブラシ回転軸心と平行な偏芯回転軸心を持ったフリッカーバを設け、該偏芯回転軸心を介して前記フリッカーバを前記ハウジングに接続したことを特徴とする。【選択図】  図１
2005017877.tif 000002
【特許請求の範囲】
【請求項１】
感光体と一定のニップ幅を持つ位置に配置されたファーブラシと、前記感光体側に吸気口を反対側に排気口を持ち前記ファーブラシと一定の隙間を持って内包するように配置されたハウジングと、該ハウジングの排気口に隣接し前記ハウジングと一定の隙間を持ち、且つ前記ファーブラシと一定のラップ量を持つ位置に配置されて前記ハウジングに固定されたフリッカーバと、前記ファーブラシの回転軸心に対し平行に配置されたハウジング揺動軸心とからなり、前記ハウジング揺動軸心を中心に前記ハウジングを揺動させることにより該ハウジング内面に前記ファーブラシを接触させ、前記ハウジングの揺動に伴い該ハウジングと前記ファーブラシとの接触位置を変位させ、前記ハウジング内面に付着堆積したトナーを除去する手段を有する電子写真装置の感光体清掃装置において、前記ファーブラシ回転軸心と平行な偏芯回転軸心を持ったフリッカーバを設け、該偏芯回転軸心を介して前記フリッカーバを前記ハウジングに接続したことを特徴とする電子写真装置の感光体清掃装置。
【請求項２】
前記ハウジングの揺動に連動して、前記フリッカーバと前記ファーブラシのラップ量が一定量以上の角度まで前記偏芯回転軸心を中心に前記フリッカーバが回転可能であることを特徴とする、請求項１に記載の電子写真装置の感光体清掃装置。
【発明の詳細な説明】
【０００１】
【発明の属する技術分野】
本発明は電子写真装置の感光体清掃装置に関するものである。
【０００２】
【従来の技術】
プリンタや複写機に代表される電子写真装置では、その印写プロセスにおいて感光体表面に未転写トナーが残留し、放置しておくとドラムオフセットを起こすため、各種清掃装置により感光体表面を清掃している。
【０００３】
一般に大型・高速な電子写真装置では時間当たりに消費されるトナー量が多く、感光体表面に残留する未転写トナー量も多いため、回転ファーブラシで未転写トナーを清掃しているが、時間と共にハウジング内にトナーが付着堆積するため、定期的に保守員により清掃ブラシ等で清掃するか、ハウジングを揺動させファーブラシとハウジングを接触させて、ファーブラシにより付着堆積したトナーを清掃している。（例えば、特許文献１参照。）。
【特許文献１】
特開昭５７−０９３３８３号公報  （第１−３頁、図１）
【０００４】
【発明が解決しようとする課題】
従来技術の感光体清掃装置における問題点を、図を用いて具体的に説明する。
【０００５】
図４は従来技術における感光体清掃装置の構成を示す正面図、図５、図６はハウジングの内壁清掃動作を示した正面図である。
【０００６】
図において、感光体１と一定のニップ幅を持つ位置にファーブラシ２が配置されており、図示しない動力により矢印方向に回転している。ファーブラシ２の周囲には感光体１側に吸気口を反対側に排気口を、開口しているハウジング３がファーブラシ２と一定の隙間をもって配置されている。
【０００７】
ハウジング３の排気口側にはエアダクト４を介しエアチャンバ５が接続されており、エアチャンバ５の中心を軸にハウジングが左右に揺動できるようになっている。エアチャンバ５の長手方向の一方には図示しないサイクロン、ファインフィルタ、吸引ブロア等により構成されるトナー回収装置が図示しないホースにより接続されている。
【０００８】
ハウジング３の排気口付近には、ハウジング３と一定の隙間を持つと共にファーブラシ２と一定のラップ量を持つ位置にフリッカーバ６が配置され、ハウジング３に固定されている。ファーブラシ２の回転方向に対しフリッカーバ６の下流側にはファーブラシ２と一定のラップ量を持つ位置にサブフリッカーバ７が配置され、一定のテンションを与えた状態でフレーム８に固定されている。
【０００９】
次に、上記のように構成された感光体清掃装置の清掃動作について説明する。
【００１０】
印刷時、感光体１表面に残留した未転写トナーは、図示しない動力により時計方向に回転するファーブラシ２で清掃された後、フリッカーバ６にファーブラシ２が当ることでファーブラシ２から分離し、図示しないブロアの吸引によりハウジング３、エアダクト４、エアチャンバ５を通って吸引され、トナー回収装置に回収される。
【００１１】
印刷量が一定量に達すると印刷を一次中断し、ハウジング内壁に付着堆積したトナーの清掃動作を行う。まず、図５に示す様に、図示しない動力によりハウジング３が右に揺動し、ハウジング３の左内壁に時計方向に回転するファーブラシ２を接触させることでトナーを清掃し、フリッカーバ６でファーブラシ２からトナーを分離し、トナー回収装置に回収する。
【００１２】
次に、図６に示す様に、ハウジング３を同様に左に揺動させ、ハウジング３の右内壁に反時計方向に回転するファーブラシ２を接触させることでトナーを清掃し、ファーブラシ２との位置関係が変わらないサブフリッカーバ７でトナーを分離し、トナー回収装置に回収する。
【００１３】
上記のサブフリッカーバ７は、これまで安価で十分な強度を持って機能を果たしてきたが、近年、印刷時間の短縮やブック印刷等の新たな市場の要求にこたえるため、印刷幅の拡大や印刷速度の増速が求められており、印刷速度に合わせたファーブラシの回転速度の増速によるサブフリッカーバに加えられるストレスの増加や、幅拡大でサブフリッカーバの振動が大きくなることによる疲労によって破断したり、巻き付き等でファーブラシにダメージを与え清掃不良を引き起こしたり、あるいは感光体を傷付けたりするため、信頼性が低く、保守コストも増加する問題があった。これに対し、断面積拡大等のサブフリッカーバの強度アップも考えられるが、サブフリッカーバはハウジング内壁清掃時のみ機能することから、通常印刷時にはファーブラシの寿命や、ハウジング内のエアの流れに影響がないよう十分小さくする必要があるため、強度アップは難しいといったことがあり、これに変わる方式が求められていた。
【００１４】
【課題を解決するための手段】
上記の課題は、ファーブラシ回転軸心と平行な偏芯回転軸心持ったフリッカーバを設け、偏芯回転軸心を介してフリッカーバをハウジングに接続することにより解決される。
【００１５】
【発明の実施の形態】
以下本発明を、図１〜図３の具体的な実施例を用いて詳細に説明する。
【００１６】
図１は本発明による感光体清掃装置の一実施例を示す正面図、図２、図３は本発明によるハウジング内壁清掃動作を示した正面図である。なお、図１〜図３において符号１〜５は図４〜図６と同じであるので説明を省略する。
【００１７】
図１〜図３において、ファーブラシ回転軸心と平行な偏芯回転軸心を持ったフリッカーバ９が偏芯回転軸心を介してハウジング３に接続されている。フリッカーバ９の偏芯回転軸心の一端にはプレート１０が固定されており、一方がプレート１０に他方がハウジング３に固定されたスプリング１１で常にテンションを与えられている。プレート１０にはストッパ１２が設けられており、反時計方向の回転は制限されている。プレート１０に隣接しピン１３が設けられ、フレーム８に固定されている。
【００１８】
次に、上記のように構成された感光体清掃装置のハウジング内壁のトナー清掃動作について説明する。
【００１９】
まず、図２に示す様に、ハウジング３の左内壁のトナー清掃時には、ハウジング３が右に揺動してもフリッカーバ９はストッパ１２により反時計方向の回転が制限されているため通常印刷時の位置を保持し、従来技術と同様にハウジング３の左内壁から清掃されたトナーはフリッカーバ９によりファーブラシ２から分離され、トナー回収装置に回収される。
【００２０】
次に、図３に示す様に、ハウジング３の右内壁清掃時には、ハウジング３が左に揺動した時、プレート１０がピン１３に当ることでフリッカーバ９が連動して回転し、ハウジング３の揺動が終了した位置でフリッカーバ９の一端がファーブラシ２と一定のラップ量で接触、スプリング１１の力で保持され、ハウジング３の右内壁から清掃されたトナーはフリッカーバ９によりファーブラシ２から分離され、トナー回収装置に回収される。
【００２１】
以上のように構成された感光体清掃装置は、サブフリッカーバを用いないでハウジングの左内壁清掃時も右内壁清掃時も同様にファーブラシからトナーを分離できる。
【００２２】
【発明の効果】
本発明によれば、フリッカーバのみでハウジング内壁清掃時のファーブラシからのトナーの分離が可能であるので、サブフリッカーバが破断してファーブラシにダメージを与えて清掃不良を引き起こしたり、感光体を傷付けたりする事が無く、信頼性が高く、保守コストが低い感光体清掃装置を提供できる。
【図面の簡単な説明】
【図１】本発明による感光体清掃装置の一実施例を示す正面図である。
【図２】本発明による感光体清掃装置の一実施例の動作を示す正面図である。
【図３】本発明による感光体清掃装置の一実施例の動作を示す正面図である。
【図４】従来技術における感光体清掃装置の構成を示す正面図である。
【図５】従来技術における感光体清掃装置の動作を示す正面図である。
【図６】従来技術における感光体清掃装置の動作を示す正面図である。
【符号の説明】
１は感光体、２はファーブラシ、３はハウジング、４はエアダクト、５はエアチャンバ、８はフレーム、９はフリッカーバ、１０はプレート、１１はスプリング、１２はストッパ、１３はピンである。
【図１】
2005017877.tif 000003
【図２】
2005017877.tif 000004
【図３】
2005017877.tif 000005
【図４】
2005017877.tif 000006
【図５】
2005017877.tif 000007
【図６】
2005017877.tif 000008